(57)【特許請求の範囲】
【請求項１】
遊技の実行処理を行う制御基板を収納するケース本体を備え、遊技機本体が有する遊技盤の背面側に前記ケース本体が取り付けられる基板ケースにおいて、
前記ケース本体が前記遊技機本体から取り外し可能となるように前記遊技機本体の背面に係止する係止部材を前記ケース本体に着脱自在に取り付け、
前記係止部材を、
前記遊技盤の盤面と略平行に突出するとともに、前記遊技機本体に形成された差し込み孔に差し込まれる位置決め部材と、
前記位置決め部材とは反対方向に突出し、前記遊技機本体に形成された嵌合孔に嵌合する嵌合部材とから構成し、
前記ケース本体は、前記位置決め部材を前記差し込み孔に差し込んだ後、前記位置決め部材側を支点に回動させて前記嵌合部材を前記嵌合孔に嵌合させると前記遊技機本体に取り付けられ、
前記ケース本体又は前記位置決め部材の何れか一方に第１のレールを形成し、他方に前記第１のレールに取り付け可能な第１のレール溝を形成し、
前記ケース本体又は前記嵌合部材の何れか一方に前記第１のレールとは幅方向の寸法が異なる第２のレールを形成し、他方に前記第２のレールに取り付け可能な第２のレール溝を形成したことを特徴とする基板ケース。
【請求項２】
前記位置決め部材は上方に突出し、前記嵌合部材は下方に突出しており、
前記位置決め部材は、前記遊技機本体に形成された凹部又は凸部に係止する仮止め部を備えていることを特徴とする請求項２記載の基板ケース
【請求項３】
パチンコ球が打ち出される遊技領域を設けた遊技盤を備える遊技機において、前記遊技盤の背面側に請求項１又は２記載の基板ケースを備えることを特徴とする遊技機。
【発明の詳細な説明】
【技術分野】
【０００１】
遊技の実行処理を行う制御基板を収納するケース本体を備え、遊技機本体が有する遊技盤の背面側にケース本体が取り付けられる基板ケースおよびその基板ケースを備える遊技機に関するものである。   
【背景技術】
【０００２】
最近のパチンコ機には、図柄の変動表示や演出画像の表示を行う液晶ディスプレイが搭載されているものが殆どである。液晶ディスプレイは、例えば特許文献１で示されているように、液晶ディスプレイでの表示制御を行う表示制御基板とともに基板ケースに収納されてユニット化されている。このようにユニット化された液晶ユニットは複数の機種間で共通部品として使用され、これにより、パチンコ機の製造コストが抑えられている。
【特許文献１】特開２００４−２０９１５４号公報
【発明の開示】
【発明が解決しようとする課題】
【０００３】
ところで上記のようなパチンコ機では、液晶ユニットを複数の機種間で共通化するに伴ってパチンコ機側の液晶ユニットの取り付け部分も共通化されているため、液晶ユニットを共通化するとその取り付け位置が決まってしまい、これにより、パチンコ機のデザインに制約が生じていた。このことは、機種が異なるにも関わらず、どのパチンコ機も画一的なデザインとなってしまう要因となり、遊技者へのデザインの斬新さのアピールをすることが困難になっていた。また、液晶ユニットの取り付け位置を変更するには、液晶ユニットの基板ケース又はパチンコ機の取り付け部分の設計を変更する必要が生じるため、液晶ユニットを共通部品としてもパチンコ機の製造コストが上昇してしまうという問題があった。
【０００４】
本発明は、上記課題を解決するためになされたもので、遊技の実行処理を行う制御基板が収納されたケース本体を共通部品としながらも安価にその取り付け位置を変更することができる基板ケースおよびその基板ケースを備える遊技機を提供することを目的とする。
【課題を解決するための手段】
【０００５】
本発明の基板ケースは、遊技の実行処理を行う制御基板を収納するケース本体を備え、遊技機本体が有する遊技盤の背面側に前記ケース本体が取り付けられる基板ケースにおいて、前記ケース本体が前記遊技機本体から取り外し可能となるように前記遊技機本体の背面に係止する係止部材を前記ケース本体に着脱自在に取り付けたものである。 
【０００６】
また、前記係止部材を、前記遊技盤の盤面と略平行に突出するとともに、前記遊技機本体に形成された差し込み孔に差し込まれる位置決め部材と、前記位置決め部材とは反対方向に突出し、前記遊技機本体に形成された嵌合孔に嵌合する嵌合部材とから構成し、前記ケース本体は、前記位置決め部材を前記差し込み孔に差し込んだ後、前記位置決め部材側を支点に回動させて前記嵌合部材を前記嵌合孔に嵌合させると前記遊技機本体に取り付けられることが好ましい。
【０００７】
また、前記ケース本体又は前記位置決め部材の何れか一方に第１のレールを形成し、他方に前記第１のレールに取り付け可能な第１のレール溝を形成し、前記ケース本体又は前記嵌合部材の何れか一方に前記第１のレールとは幅方向の寸法が異なる第２のレールを形成し、他方に前記第２のレールに取り付け可能な第２のレール溝を形成することが好ましい。
【０００８】
また、前記位置決め部材は上方に突出し、前記嵌合部材は下方に突出しており、前記位置決め部材は、前記遊技機本体に形成された凹部又は凸部に係止する仮止め部を備えていることが好ましい。
【０００９】
また本発明の遊技機は、パチンコ球が打ち出される遊技領域を設けた遊技盤を備える遊技機において、前記遊技盤の背面側に請求項１又は２記載の基板ケースを備えることを特徴とするものである。
【発明の効果】
【００１０】
本発明の基板ケースは、遊技機本体から取り外し可能となるように遊技機本体の背面に係止する係止部材をケース本体に着脱自在に取り付けたので、係止部材の形状を変更するだけでケース本体の取り付け位置を変更することが可能になり、ケース本体を共通部品としながらも安価にその取り付け位置を変更することができる。
【００１１】
また、ケース本体には、液晶ディスプレイと液晶ディスプレイの表示制御を行う液晶制御基板とが収納されているので、他の部品に比べて相対的に価格の高い液晶ディスプレイを共通部品とすることが可能となり、遊技機の製造コストを低減することができる。
【００１２】
また、ケース本体は、位置決め部材を遊技機本体の差し込み孔に差し込んだ後、位置決め部材側を支点に回動させて嵌合部材を嵌合孔に嵌合させると遊技機本体に取り付けられているので、基板ケースを効率良く取り付けることが可能になり、弾球遊技機の製造コストの低減を図ることができる。
【００１３】
また、前記位置決め部材のケース本体への取り付け部分と前記嵌合部材のケース本体への取り付け部分とは形状が異なるので、位置決め部材と嵌合部材を誤ってケース本体に取り付けることを防止でき、基板ケースを組み立てる際の作業を効率よく行うことができる。
【００１４】
また、前記位置決め部材は上方に突出し、前記嵌合部材は下方に突出しており、前記位置決め部材は、遊技機本体に形成された凹部又は凸部に係止する仮止め部を備えているので、基板ケースを吊り下げた状態で仮止めすることが可能になり、基板ケース内の重量が増えても基板ケースの着脱が容易にすることができる。
【発明を実施するための最良の形態】
【００１５】
図１に示すように、パチンコ機１０は本体（遊技機本体）１０ａを備えている。本体１０ａは遊技盤１１を備えている。遊技盤１１の前面には、周知のレールで囲まれた遊技領域１１ａが設けられている。遊技領域１１ａには、図柄表示装置１２、始動口１３、スルーチャッカー１４、アタッカ１５、アウト口１６が設けられている。また、図示は省略してあるが、障害釘や風車などが設けられている。
【００１６】
図柄表示装置１２は液晶ディスプレイ１２ａを備えている。遊技領域１１ａに打ち出されたパチンコ球は、始動口１３、スルーチャッカー１４、アウト口１６のいずれかに入る。始動口１３でパチンコ球が検知されると液晶ディスプレイ１２ａで図柄の変動表示が行われ、停止した図柄の組み合わせによって大当たりか否かが表示される。大当たりが得られるとアタッカ１５が複数回開放される。スルーチャッカー１４でパチンコ球が検知されると始動口１３に設けられた一対の可動翼片が閉じ位置から開き位置に回動し、始動口１３にパチンコ球が入りやすくなる。始動口１３又はアタッカ１５のいずれかにパチンコ球でパチンコ球が検知されると払い出し口１７を介して受け皿１８に賞球が払い出される。
【００１７】
図２に示すように、パチンコ機１０は、遊技盤ユニット２０を備えている。遊技盤ユニット２０は、遊技盤１１、前面枠２１、裏機構板２２、液晶ユニット２３、保護カバー２４からなる。
【００１８】
前面枠２１は遊技盤１１の前面に取り付けられている。前面枠２１はその内側のレールによって遊技領域１１ａを画定し、さらに、遊技領域１１ａにパチンコ球を打ち出すための球通路を遊技盤１１上に形成している。前面枠２１の四隅には裏機構板２２を連結する際に操作される回動自在なレバー２５が設けられている。レバー２５には図示しないフックが形成されている。裏機構板２２の四隅にはレバー２５のフックが係止する係止部２６が形成されている。レバー２５を水平な状態から垂直な状態に回動させると、レバー２５のフックが係止部２６に係止して裏機構板２２と前面枠２１とが連結される。裏機構板２２と前面枠２１とが連結されると遊技盤１１が前面枠２１と裏機構板２２との間で挟まれた状態となる。裏機構板２２の前面には複数のリブが形成されており、このリブによって裏機構板２２と遊技盤１１との間に球通路が形成される。始動口１３やアタッカ１５に入賞したパチンコ球はこの球通路に案内されて島設備で回収される。
【００１９】
液晶ユニット２３は、裏機構板２２の背面に取り外し可能に取り付けられている。液晶ユニット２３が裏機構板２２に取り付けられると遊技盤１１の開口１１ｂからその前面が露呈される。保護カバー２４は略垂直な軸２４ａを介して裏機構板２２の背面に軸着されている。これにより、保護カバー２４は水平方向で回動自在となっている。保護カバー２４が閉じられた状態では液晶ユニット２３やハーネス、基板などが覆われ、島設備や図示しない貯留タンクから落下したパチンコ球がこれらに接触してパチンコ機１０が故障することが防止される。
【００２０】
図３及び図４に示すように、液晶ユニット２３は基板ケース３０と液晶ディスプレイ１２ａと液晶ディスプレイ１２ａの表示制御を行う表示制御基板１２ｂ（図７参照）とからなる。基板ケース３０はケース本体３１を備えている。ケース本体３１は透明な樹脂で箱形に形成されている。ケース本体３１は前カバー３１ａと後カバー３１ｂとからなる。前カバー３１ａと後カバー３１ｂとは爪係合によって連結されている。ケース本体３１には液晶ディスプレイ１２ａ及び表示制御基板１２ｂが収納されている。ケース本体３１の上面には一対の位置決め部材３２がその取り付け部３３に着脱自在に取り付けられている。また、ケース本体３１の下面には一対の嵌合部材３４がその取り付け部３５に着脱自在に取り付けられている。位置決め部材３２は上方に突出し、嵌合部材３４は下方に突出している。位置決め部材３２及び嵌合部材３４はケース本体３１と同様に透明の樹脂で形成されている。
【００２１】
図５に示すように、位置決め部材３２は、略矩形板状のベース４０とベース４０から上方に突出した略角柱状の差し込み部４１とを備えている。ベース４０の両側面には前方に突出した係止爪４２が設けられている。係止爪４２は、その基端部がベース４０の後端側で連なっており、先端部が左右方向でのバネ性を有している。
【００２２】
ベース４０の底面にはその前後方向に沿った直線状のレール溝４０ａが形成されている。レール溝（第１のレール溝）４０ａは取り付け部３３に形成されたレール（第１のレール）３３ｃ（図４参照）に挿入される。レール溝４０ａをレール３３ｃに挿入させた状態で位置決め部材３２を前方にスライドさせると係止爪４２が取り付け部３３に形成された係止孔３３ａに案内される。これにより、位置決め部材３２のケース本体３１への位置決め及び取り付けが容易になる。
【００２３】
図６に示すように、係止爪４２は係止孔３３ａに差し込まれる。係止孔３３ａに差し込まれた係止爪４２は取り付け部３３に形成された爪係止部３３ｂに係止する。これにより、位置決め部材３２がケース本体３１に固定される。位置決め部材３２をケース本体３１から取り外すには係止爪４２を互いが近づく方向に押し込む。この押し込みにより係止爪４２と爪係止部３３ｂとの係止を解除され、位置決め部材３２を取り外すことが可能になる。
【００２４】
図７〜図９に示すように、差し込み部４１は裏機構板２２の背面でその上方に形成された差し込み孔２２ａに差し込まれる。差し込み孔２２ａへの差し込み部４１の差し込みは液晶ユニット２３を傾けた状態で行われる（図８に示す状態）。差し込み孔２２ａの下方には裏機構板２２の背面側に突出した凸部２２ｂが形成されている。他方、差し込み部４１の前面には凹部（仮止め部）４１ａが形成されている。差し込み孔２２ａに差し込み部４１が差し込まれると凸部２２ｂが凹部４１ａに入り込む（図９に示す状態）。凸部２２ｂは下方に屈曲している。このため、差し込み部４１を差し込み孔２２ａに差し込む際には凸部２２ｂの屈曲方向に沿って凹部４１ａが凸部２２ｂにガイドされる。
【００２５】
図１０に示すように、嵌合部材３４は、矩形板状のベース５０とベース５０から下方に突出した嵌合部５１とを備えている。ベース５０はベース４０と同一の形状になっており、ベース５０の両側面には係止爪４２と同一に構成された係止爪５２が設けられている。
【００２６】
ベース５０の底面にはその前後方向に沿った直線状のレール溝５０ａが形成されている。レール溝（第２のレール溝）５０ａはケース本体３１の取り付け部３５に形成されたレール（第２のレール）３５ｃ（図１３参照）に挿入される。レール溝５０ａをレール３５ｃに挿入させた状態で嵌合部材３４を前方にスライドさせると係止爪５２が取り付け部３５に形成された係止孔３５ａに案内される。これにより、嵌合部材３４のケース本体３１への位置決め及び取り付けが容易になる。係止爪５２は係止爪４２と同様に係止孔３５ａ（図１３参照）に差し込まれ、爪係止部３５ｂ（図１３参照）に係止する。取り外しの方法は位置決め部材３２と同様である。なお、レール溝４０ａの幅方向の寸法Ｌ１はレール溝５０ａの幅方向の寸法Ｌ２よりも幅広になっている。
【００２７】
そして、図１１〜図１３に示すように、レール溝４０ａの幅方向の寸法Ｌ１及びレール溝５０ａの幅方向の寸法Ｌ２に併せて、レール３３ｃの幅方向の寸法Ｌ３はレール３５ｃの幅方向の寸法Ｌ５よりも幅広になっている。このように、レール溝４０ａとレール溝５０ａ及びレール３３ｃとレール３５ｃとの幅方向の寸法を異ならせることにより、位置決め部材３２を取り付け部３５に取り付ける、あるいは、嵌合部材３４を取り付け部３３に取り付けるなどの誤りを防止できる。
【００２８】
図１４及び図１５に示すように、嵌合部５１の先端には円柱状の凹部５３が形成されている。凹部５３の底面には前後に貫通した孔５４が形成されている。凹部５３には嵌合機構５５が取り付けられている。嵌合機構５５は嵌合ピン５６と嵌合リング５７とからなる。嵌合ピン５６は操作つまみ５６ａと操作つまみ５６ａから突出した突起５６ｂとからなる。突起５６ｂは円柱状に形成されており、その先端側に複数の段差が形成されている。
【００２９】
嵌合リング５７は円盤状のベース５７ａを備えている。ベース５７ａの中央部には孔５７ｂが形成されている。ベース５７ａの一方の面には孔５７ｂを囲むように複数の嵌合爪５７ｃが立設されている。嵌合リング５７は嵌合爪５７ｃを孔５４に挿通することによって凹部５３に取り付けられている。嵌合爪５７ｃを孔５４に挿通した後は嵌合爪５７ｃの後端縁が凹部５３の底面に係止するため、嵌合リング５７が孔５４から脱落することが防止される。
【００３０】
ベース５７ａの孔５７ｂには嵌合ピン５６の突起５６ｂが挿通されている。孔５７ｂの孔径は突起５６ｂの直径よりも一回り大きくなっている。このため、嵌合ピン５６は孔５７ｂに挿通した状態で前後にスライドさせることができる。嵌合ピン５６は、これを前方（図中Ａ方向）にスライドさせた押し込み位置（図１４に示す位置）と押し込み位置から後方（図中Ｂ方向）にスライドさせた引き抜き位置（図１５に示す位置）との間でスライドする。
【００３１】
嵌合ピン５６は操作つまみ５６ａを利用して前後にスライドされる。操作つまみ５６ａは略円盤状に形成されている。操作つまみ５６ａの後端面には円弧状の窪みが形成されている。作業者は、この窪みを指の先端で押圧すると嵌合ピン５６を容易に押し込み位置にスライドさせることができる。また、嵌合ピン５６は引き抜き位置へスライドさせるには、操作つまみ５６ａの端縁を把持した状態で嵌合ピン５６を後方に引き抜けばよい。
【００３２】
裏機構板２２の背面でその下方には円柱状の嵌合突起５８が形成されている。嵌合突起５８の先端面は一段凹んでおり、その凹み部分の底面には嵌合孔５８ａが形成されている。液晶ユニット２３を裏機構板２２に固定するときは嵌合突起５８の外周に凹部５３の内周が当接するように嵌合突起５８と凹部５３とを嵌合させる。このとき、嵌合ピン５６の突起５６ｂと嵌合リング５７の嵌合爪５７ｃとが嵌合孔５８ａに入り込む。この状態で嵌合ピン５６を押し込み位置にスライドさせると嵌合爪５７ｃが互いに開く方向に変位する。これにより、嵌合爪５７ｃが嵌合孔５８ａの周壁に係止し、裏機構板２２と液晶ユニット２３とが固定される。また、嵌合ピン５６を押し込み位置から引き抜き位置にスライドさせると嵌合爪５７ｃがその復元力によって互いに近づく方向に変位する。これにより、嵌合爪５７ｃと嵌合孔５８ａの周壁との係止が解除され、裏機構板２２から液晶ユニット２３を取り外すことが可能になる。
【００３３】
なお、差し込み部４１は、正面から見たときにその中心がレール溝４０ａの中心から右方にずれるようにクランク状に屈曲している。また、嵌合部５１は、正面から見たときにその中心がレール溝５０ａの中心から右方にずれるように傾斜している。これにより、差し込み部４１を差し込み孔２２ａに差し込むとともに、凹部５３と嵌合突起５８とを嵌合させると遊技盤１１に形成された開口１１ｂの位置に液晶ディスプレイ１２ａ配置される。
【００３４】
次に、液晶ユニット２３の裏機構板２２への取り付け及び液晶ユニット２３の取り外し作業の流れについて説明する。図１６に示すように、先ず、液晶ユニット２３を斜めに傾けた状態で位置決め部材３２の差し込み部４１を裏機構板２２の差し込み孔２２ａに差し込む。差し込み部４１が差し込み孔２２ａに差し込まれると裏機構板２２の凸部２２ｂに差し込み部４１の凹部４１ｂが係止する。これにより、液晶ユニット２３が裏機構板２２に吊り下げられた状態となって液晶ユニット２３が裏機構板２２に仮止めされ、また、位置決めされる。裏機構板２２に液晶ユニット２３を仮止めした後、位置決め部材３２側を支点に液晶ユニット２３の下端を裏機構板２２に向けて回動させる。
【００３５】
図１７に示すように、液晶ユニット２３を回動させると、嵌合部材３４の凹部５３内に裏機構板２２の嵌合突起５８が入り込んで凹部５３と嵌合突起５８とが嵌合する。この状態で嵌合ピン５６を押し込み位置にスライドさせると液晶ユニット２３が裏機構板２２に固定される。
【００３６】
液晶ユニット２３を裏機構板２２から取り外す際には、先ず、嵌合ピン５６を引き抜き位置にスライドさせる。嵌合ピン５６を引き抜き位置にスライドさせた後、位置決め部材３２側を支点に液晶ユニット２３を回動させ、裏機構板２２の凸部２２ｂと差し込み部４１の凹部４１ｂとの係止を解除させる。この後、位置決め部材３２の差し込み部４１を裏機構板２２の差し込み孔２２ａから引き抜くと、液晶ユニット２３が裏機構板２２から取り外される。
【００３７】
なお、図１８及び図１９に示すように、機種が異なるパチンコ機１０に液晶ユニット２３を取り付ける場合、例えば位置決め部材３２とは異なる位置決め部材７０を使用するとともに、位置決め部材７０に対応した嵌合部材７１を基板ケース３０のケース本体３１に取り付ければよい。
【００３８】
位置決め部材７０は、位置決め部材３２と同一のベース４０と係止爪４２とを備えており、位置決め部材３２と同様にケース本体３１に着脱自在に取り付けることができる。しかし、位置決め部材７０は、差し込み部７２の形状が位置決め部材３２の差し込み部４１と異なっている（凹部４１ｂは同一）。差し込み部７２は直線上に形成されており、その中心がレール溝４０ａの中心と一致している。
【００３９】
また、嵌合部材７１は、嵌合部材３４と同一のベース５０と係止爪５２とを備えており、嵌合部材３４と同様にケース本体３１に着脱自在に取り付けることができる。しかし、嵌合部材７１は、嵌合部７３の形状が嵌合部材３４と異なっている。嵌合部７３は直線上に形成されており、その中心がレール溝５０ａの中心と一致している。
【００４０】
以上のように構成された位置決め部材７０及び嵌合部材７１をケース本体３１に取り付けて液晶ユニット２３を裏機構板２２に取り付ければ、液晶ディスプレイ１２ａを露呈する遊技盤１１の開口１１ｂの位置が変化したパチンコ機１０にも液晶ユニット２３を取り付けることができる。なお、位置決め部と嵌合部の形状及び長さは遊技盤１１の開口の位置に合わせて適宜に設定してよい。
【００４１】
上記実施形態では、ケース本体３１内に液晶ディスプレイ１２ａ及び表示制御基板１２ｂを収納したが、ケース本体には例えば当たり又はハズレを決定する抽選を行うメイン制御基板や音声の出力制御を行う音声制御基板、ハンドル操作に応答してパチンコ球の発射制御を行う発射制御基板など、遊技の実行処理を行う適宜の制御基板が収納されていればよい。
【００４２】
上記実施形態では、位置決め部材３２による仮止め及び位置決めの後に嵌合部材３４による固定によって基板ケース３０を裏機構板２２に取り付けたが、基板ケースの取り付け方法は適宜の方法でよい。
【００４３】
上記実施形態では、位置決め部材３２及び嵌合部材３４にレール溝４０ａ，５０ａを形成し、ケース本体３１にレール３３ｃ，３５ｃを形成したが、例えば位置決め部材及び嵌合部材にレールを形成し、ケース本体にレール溝を形成してもよい。この場合もレール同士の寸法が異なることが好ましい。
【００４４】
上記実施形態では、基板ケースを取り付ける遊技機としてパチンコ機を例に挙げて説明したが、例えばスロットマシンなどパチンコ機以外の遊技機にも本発明を適用できる。
【図面の簡単な説明】
【００４５】
【図１】パチンコ機の前面側からの斜視図である。
【図２】遊技盤ユニットの分解斜視図である。
【図３】基板ケースの前面側からの分解斜視図である。
【図４】基板ケースの背面側からの分解斜視図である。
【図５】位置決め部材の斜視図である。
【図６】位置決め部材及びケース本体の横断面図である。
【図７】裏機構板に液晶ユニットを固定する前の状態を示す縦断面図である。
【図８】差し込み孔へ差し込み部を差し込む際に凹部が凸部に係止する前の状態を示す説明図である。
【図９】差し込み孔へ差し込み部を差し込む際に凹部が凸部に係止した後の状態を示す説明図である。
【図１０】嵌合部材の斜視図である。
【図１１】ケース本体の背面図である。
【図１２】位置決め部材の取り付け部の背面側からの拡大図である。
【図１３】嵌合部材の取り付け部の背面側からの拡大図である。
【図１４】嵌合部を嵌合突起に嵌合させたときに嵌合ピンが引き抜き位置に位置する状態を示す説明図である。
【図１５】嵌合部を嵌合突起に嵌合させたときに嵌合ピンが押し込み位置に位置する状態を示す説明図である。
【図１６】裏機構板に液晶ユニットを仮止めする前の状態を示す縦断面図である。
【図１７】裏機構板に液晶ユニットを固定した後の状態を示す縦断面図である。
【図１８】差し込み部が直線状に形成された位置決め部材の正面図である。
【図１９】嵌合部が直線状に形成された嵌合部材の正面図である。
【符号の説明】
【００４６】
１０    パチンコ機
１０ａ  本体（遊技機本体）
１２ａ  液晶ディスプレイ
１２ｂ  表示制御基板
３２    位置決め部材
３３ｃ  レール（第１のレール）
３５ｃ  レール（第２のレール）
３４    嵌合部材
４０ａ  レール溝（第１のレール溝）
５０ａ  レール溝（第２のレール溝）
【図１】
0004633652.tif 000002
【図２】
0004633652.tif 000003
【図３】
0004633652.tif 000004
【図４】
0004633652.tif 000005
【図５】
0004633652.tif 000006
【図６】
0004633652.tif 000007
【図７】
0004633652.tif 000008
【図８】
0004633652.tif 000009
【図９】
0004633652.tif 000010
【図１０】
0004633652.tif 000011
【図１１】
0004633652.tif 000012
【図１２】
0004633652.tif 000013
【図１３】
0004633652.tif 000014
【図１４】
0004633652.tif 000015
【図１５】
0004633652.tif 000016
【図１６】
0004633652.tif 000017
【図１７】
0004633652.tif 000018
【図１８】
0004633652.tif 000019
【図１９】
0004633652.tif 000020